(57)【要約】【課題】水洗トイレの便器のリムの裏側の給水孔から流出する洗浄水で固形洗浄剤を溶出させる洗浄剤溶出装置において、固形洗浄剤が溶出した洗浄水を便器内壁の広い範囲に流す。【解決手段】水洗トイレの便器のリムに取り付けられる洗浄剤溶出装置１Ａ、１Ｂ、１Ｃ、１Ｄが、上面が開口した容器２に固形洗浄剤３が充填されてなるレフィル部材４と、レフィル部材４を保持する保持部材１０とからなる。保持部材１０は、容器２の開口面２ａを上にしてレフィル部材４を着脱自在に保持するレフィル部材装着部１１と、該レフィル部材装着部１１に保持されたレフィル部材４の容器２の開口面２ａの周囲に張り出すフランジ部１２と、フランジ部１２の便器中央部側縁辺に起立したパネル部１３とを有する。フランジ部１２は、便器のリム２０内に形成された導水溝に沿って保持される。【選択図】    図１
2005009156.tif 000002
【特許請求の範囲】
【請求項１】
上面が開口した容器に固形洗浄剤が充填されてなるレフィル部材と、レフィル部材を保持する保持部材とからなる、水洗トイレの便器のリムに取り付けられる洗浄剤溶出装置であって、
保持部材が、前記開口面を上に向けてレフィル部材を着脱自在に保持するレフィル部材装着部と、レフィル部材装着部に保持されたレフィル部材の開口面の周囲に張り出すフランジ部と、フランジ部の便器中央部側縁辺に起立したパネル部とを有し、フランジ部が、便器のリム内に形成された導水溝に沿って保持される洗浄剤溶出装置。
【請求項２】
保持部材が、便器のリムに嵌着する吊り部材を着脱自在に備えた請求項１記載の洗浄剤溶出装置。
【請求項３】
保持部材が、便器のリムに貼付される吊り部材と一体に成形されている請求項１記載の洗浄剤溶出装置。
【請求項４】
前記請求項１〜３に記載の洗浄剤溶出装置に用いられる、上面が開口した容器に固形洗浄剤が充填されてなるレフィル部材。
【発明の詳細な説明】
【０００１】
【発明の属する技術分野】
本発明は、水洗トイレの便器のリムに取り付けられる洗浄剤溶出装置に関する。
【０００２】
【従来の技術】
水洗トイレの便器を洗浄し、汚れの付着を防止し、消臭し、あるいは芳香を漂わせるため、便器のリムに嵌着する保持部材によって固形洗浄剤をリムの裏側に設置し、フラッシュ時にリムの裏側の給水孔から流出する洗浄水に固形洗浄剤が晒され、洗浄水に固形洗浄剤が溶出するようにした洗浄剤溶出装置が提案されている（特許文献１、特許文献２、特許文献３）
【０００３】
【特許文献１】実公昭５８−３５７４８号公報
【特許文献２】実公昭５３−４９２３７号公報
【特許文献３】特公昭４９−４４５０４号公報
【０００４】
【発明が解決しようとする課題】
しかしながら、水洗トイレの便器のリムに取り付けられる従来の洗浄剤溶出装置によれば、固形洗浄剤が溶出した洗浄水が便器内壁に大きく広がることなく水封部に流下する。そのため、水封部よりも上の便器内壁の大部分は洗浄剤の溶出液では洗われないという問題があった。
【０００５】
これに対して、本発明は、固形洗浄剤が溶出した洗浄水を便器内壁の広い範囲に流し、水封部よりも上の便器内壁の洗浄を十分に行えるようにすることを目的とする。
【０００６】
【課題を解決するための手段】
本発明者は、フラッシュ時に便器のリムの裏側の給水孔から流出する洗浄水に固形洗浄剤が晒されるようにするため、上面が開口した容器に固形洗浄剤を充填し、その容器をリムの裏側に設置する場合に、その開口面の周囲にフランジ部を設け、固形洗浄剤を溶出した水をフランジ部を介して便器内壁に流下させると、固形洗浄剤を溶出させた水の流れがフランジ部で広がり、便器内壁を広範囲に洗浄できることを見出した。
【０００７】
即ち、本発明は、上面が開口した容器に固形洗浄剤が充填されてなるレフィル部材と、レフィル部材を保持する保持部材とからなる、水洗トイレの便器のリムに取り付けられる洗浄剤溶出装置であって、
保持部材が、前記開口面を上に向けてレフィル部材を着脱自在に保持するレフィル部材装着部と、レフィル部材装着部に保持されたレフィル部材の開口面の周囲に張り出すフランジ部と、フランジ部の便器中央部側縁辺に起立したパネル部とを有し、フランジ部が、便器のリム内に形成された導水溝に沿って保持される洗浄剤溶出装置を提供し、また、この洗浄剤溶出装置に用いるレフィル部材を提供する。
【０００８】
【発明の実施の形態】
以下、図面を参照しつつ、本発明を詳細に説明する。なお、各図中、同一符号は同一又は同等の構成要素を表している。
【０００９】
図１は、本発明の実施例の洗浄剤溶出装置を取り付けた水洗トイレの便器の斜視図であり、図２は、この便器の上面図である。
【００１０】
この便器には、便器のフロント用洗浄剤溶出装置１Ａと、サイド用洗浄剤溶出装置１Ｂ、１Ｃと、バック用洗浄剤溶出装置１Ｄの合計４つの洗浄剤溶出装置が取り付けられている。
【００１１】
図３は、この便器において、フロント用洗浄剤溶出装置１Ａを取り付けた部分の拡大図であり、図４はフロント用洗浄剤溶出装置１Ａの斜視図であり、図５はフロント用洗浄剤溶出装置１Ａの構成部品の説明図である。このフロント用洗浄剤溶出装置１Ａは、上面が開口した箱形の容器２に固形洗浄剤３が充填されているレフィル部材４と、レフィル部材４を保持する保持部材１０からなる。
【００１２】
ここで、固形洗浄剤３としては、公知のトイレ用固形洗浄剤を使用することができる。固形洗浄剤３は、消臭剤あるいは芳香剤を含有していてもよい。
【００１３】
保持部材１０は、レフィル部材装着部１１とフランジ部１２とパネル部１３を有する。レフィル部材装着部１１には、レフィル部材４が、図５の矢印Ａのように挿入されることにより、容器２の開口面２ａを上にして保持される。レフィル部材装着部１１に保持されたレフィル部材４は、容易に引き出すことができる。したがって、使用していたレフィル部材４の固形洗浄剤３を使い切った場合には、固形洗浄剤３が充填されている新たなレフィル部材４に容易に交換することができる。
【００１４】
フランジ部１２は、レフィル部材装着部１１にレフィル部材４が保持された場合に、容器の開口面２ａの周囲にこの開口面２ａと面一に平坦な張り出し部分を形成するものである。この張り出し幅Ｌ１（図４）は、便器の形状や給水孔の位置や向きにより給水孔から流出する洗浄水の勢いにもよるが、通常１０〜４０ｍｍとすることが好ましい。
【００１５】
パネル部１３は、フランジ部１２の便器中央部側縁辺に起立する板状部分である。これにより、便器のリム２０の裏側の給水孔から流出し、固形洗浄剤３上を流れ、固形洗浄剤３が溶出した洗浄水の流れが、便器内壁に向かうように規制される。
【００１６】
なお、レフィル部材装着部１１、フランジ部１２、及びパネル部１３は、固形洗浄剤３や洗浄水の耐薬品性を有するポリプロピレン樹脂、ポリエチレン樹脂、ポリエチレンテレフタレート樹脂、ポリスチレン樹脂等のプラスチック材料により、一体成型することが好ましい。また、衛生面や防菌面の点でフランジ部を水洗トイレの便器と非接触とする配置が好ましい。
【００１７】
また、保持部材１０は、便器のリム２０に嵌着するコ字型の吊り部材１４を備える。この吊り部材１４により、便器のリム２０の裏側の給水孔の近傍、好ましくは、フランジ部１２の縁辺と便器内壁との距離が３〜２０ｍｍの位置で、フランジ部１２が、便器のリム２０内に形成された導水溝２１に沿って保持される。図２において、ドットで塗りつぶした部分は、便器のリム２０の下方でフランジ部１２が配設された領域を示している。
【００１８】
保持部材１０と吊り部材１４との接合方法としては、例えば、図６（ａ）に示すように、吊り部材１４の下部に、一端が他端に対して大径の接合孔１５を形成し、一方、パネル部１３には接合ピン１６を形成し、図６（ａ）の矢印Ｂに示すように、接合ピン１６を接合孔１５に挿入し、矢印Ｃに示すように吊り部材１４をスライドさせる。これにより、図６（ｂ）に示すように、保持部材１０と吊り部材１４とを簡便に接合することができる。なお、一旦接合した保持部材１０と吊り部材１４は、上述と逆の操作をすることにより、簡便に取り外すことができる。
【００１９】
フロント用洗浄剤溶出装置１Ａは、図１、図３に示すように、水洗トイレの便器のフロント部に取り付けて用いる。フロント用洗浄剤溶出装置１Ａを便器に取り付けた状態でトイレの水をフラッシュさせると、便器のリム２０の裏側の給水孔から流出した洗浄水は、フランジ部１２を経てレフィル部材４の容器の開口面２ａに露出している固形洗浄剤３上を流れ、この洗浄水に固形洗浄剤３が溶出する。固形洗浄剤３が溶出した洗浄水は、その流れがパネル部１３によって便器内壁側に規制されつつフランジ部１２で広がり、便器内壁の広範囲を流下する。したがって、このフロント用洗浄剤溶出装置１Ａによれば、便器内壁の洗浄を十分に行うことができる。
【００２０】
サイド用洗浄剤溶出装置１Ｂ、１Ｃは、上述のフロント用洗浄剤溶出装置１Ａと同様に、レフィル部材４と保持部材１０からなり、保持部材１０が着脱自在な吊り部材１４を備えるが、これらはそれぞれ便器のサイド部に適合した外形となっている。
【００２１】
図７は、バック用洗浄剤溶出装置１Ｄの斜視図であり、図８はバック用洗浄剤溶出装置１Ｄの構成部品の説明図である。
【００２２】
バック用洗浄剤溶出装置１Ｄは、上述のフロント用洗浄剤溶出装置１Ａと同様に、上面が開口した箱形の容器２に固形洗浄剤３が充填されているレフィル部材４と、レフィル部材４を容器２の開口面２ａを上にして保持する保持部材１０からなり、保持部材１０には、レフィル部材４が着脱自在に挿入されるが、吊り部材１４’は保持部材１０と一体に成形されている。また、保持部材１０は、便器のリム２０との接触面に面ファスナー１７が貼付され、便器のリム２０の対応する部分にも、保持部材１０の面ファスナー１７と対になる面ファスナーが設けられ、これらの面ファスナーによって吊り部材１４’は便器のリム２０に固定される。便器のバック部では、一般に、リム２０にコ字型の部材を嵌着させることが難しいため、このように貼付によりリム２０に固定される吊り部材１４’を用いることが好ましい。なお、面ファスナーに代えて、容易に剥がせる両面テープや粘着剤により吊り部材１４’をリム２０に貼付してもよい。
【００２３】
本発明の洗浄剤溶出装置の使用方法としては、上述のフロント用洗浄剤溶出装置１Ａ、サイド用洗浄剤溶出装置１Ｂ、１Ｃ、バック用洗浄剤溶出装置１Ｄのいずれを用いてもよいが、これらを同時に全て使用することが好ましい。これにより、便器の内壁の全面を十分に洗浄することができる。
【００２４】
【発明の効果】
本発明によれば、水洗トイレの便器のリムの裏側の給水孔から流出する洗浄水で固形洗浄剤を溶出させる洗浄剤溶出装置において、固形洗浄剤が溶出した洗浄水をフランジ部によって便器内壁の広い範囲に流し、水封部よりも上の便器内壁の洗浄を十分に行うことが可能となる。
【図面の簡単な説明】
【図１】実施例の洗浄剤溶出装置を取り付けた水洗トイレの便器の斜視図である。
【図２】実施例の洗浄剤溶出装置を取り付けた水洗トイレの便器の上面図である。
【図３】図１の便器において、フロント用洗浄剤溶出装置を取り付けた部分の拡大図である。
【図４】フロント用洗浄剤溶出装置の斜視図である。
【図５】フロント用洗浄剤溶出装置の構成部品の説明図である。
【図６】吊り部材と保持部材との接合方法の説明図である。
【図７】バック用洗浄剤溶出装置の斜視図である。
【図８】バック用洗浄剤溶出装置の構成部品の説明図である。
【符号の説明】
１Ａ  フロント用洗浄剤溶出装置
１Ｂ  サイド用洗浄剤溶出装置
１Ｃ  サイド用洗浄剤溶出装置
１Ｄ  バック用洗浄剤溶出装置
２    容器
２ａ  容器の開口面
３    固形洗浄剤
４    レフィル部材
１０    保持部材
１１    レフィル部材装着部
１２    フランジ部
１３    パネル部
１４    吊り部材
１４’  吊り部材
１５    接合孔
１６    接合ピン
１７    面ファスナー
２０    便器のリム
２１    導水孔
【図１】
2005009156.tif 000003
【図２】
2005009156.tif 000004
【図３】
2005009156.tif 000005
【図４】
2005009156.tif 000006
【図５】
2005009156.tif 000007
【図６】
2005009156.tif 000008
【図７】
2005009156.tif 000009
【図８】
2005009156.tif 000010